(57)【要約】      （修正有）【課題】利用者が表示画像の障害の原因を判断できるようにするとともに、受信強度を回復させるための措置内容を表示する。【解決手段】画像投写部１１２と、画像制御装置２００から有線、又は無線で送信される画像信号を受信する画像信号受信部１０４と、受信した画像信号の受信強度を測定する受信強度測定部１０７と、測定された受信強度データに基づいて受信強度画像を生成する受信強度画像生成部１０８と、画像投写部１１２に対して前記受信強度画像の表示、非表示を切替操作する切替操作部１１１と、受信した画像信号が有線で送信されたものか無線によりされたものかを判定する画像信号判定部１０６と、受信した画像信号が無線により受信されたものであるときに、切替操作部１１１の操作を有効にする制御を行う制御部１０１とを備える。【選択図】図１
2010122262.tif 000002
【特許請求の範囲】
【請求項１】
画像投写部と、
画像制御装置から有線又は無線で送信される画像信号を受信する画像信号受信部と、
受信した画像信号の受信強度を測定する受信強度測定部と、
測定された受信強度データに基づいて受信強度画像を生成する受信強度画像生成部と、
画像投写部に対して前記受信強度画像の表示、非表示を切替操作する切替操作部と、
受信した画像信号が有線で送信されたものか無線によりされたものかを判定する画像信
号判定部と、
受信した画像信号が無線により受信されたものであるときに、切替操作部の操作を有効
にする制御を行う制御部と、
を備えていることを特徴とする画像投写装置。
【請求項２】
受信強度が低下した際の措置内容画像データを記憶する記憶部を有しており、前記制御
部は、測定された受信強度があらかじめ設定した受信強度以下であることを検出したとき
に、前記記憶部から措置内容画像データを読み出し、該措置内容画像データに基づく措置
内容画像を画像投写部に表示させる制御を行うものであることを特徴とする請求項１に記
載の画像投写装置。
【請求項３】
前記記憶部は、複数種の措置内容画像データを有しており、前記制御部は、最初の措置
内容画像を表示してから一定時間受信強度が回復していないことを検出したときに、次の
措置内容画像データを読み出し、該措置内容画像データに基づく措置内容画像を前記最初
の措置内容画像に換えて画像投写部に表示させる制御を行うものであることを特徴とする
請求項２に記載の画像投写装置。
【請求項４】
受信した画像信号が無線により受信されたものであるときに、切替操作部の操作を有効
にする制御を行う画像投写装置に適用され、
画像制御装置から有線、又は無線で送信される画像信号を受信するステップと、
受信した画像信号の受信強度を測定するステップと、
測定された受信強度データに基づいて受信強度画像を生成するステップと、
画像投写部に対して前記受信強度画像の表示、非表示を切替操作するステップと、
受信した画像信号が有線で送信されたものか無線によりされたものかを判定するステッ
プと、
受信した画像信号が無線により受信されたものであるときに、切替操作部の操作を有効
にするステップと、
を備えていることを特徴とする受信強度投写方法。
【請求項５】
測定された受信強度があらかじめ設定した受信強度以下であることを検出したときに、
受信強度を回復させるための措置内容画像を表示させる制御を行う画像投写装置に適用さ
れ、測定された受信強度があらかじめ設定した受信強度以下であることを検出するステッ
プと、受信強度以下であることを検出したときに措置内容画像データを読み出すステップ
と、読み出した措置内容画像データに基づく措置内容画像を画像投写部に表示させるステ
ップと、を備えていることを特徴とする請求項４に記載の受信強度投写方法。
【請求項６】
最初の措置内容画像を表示してから一定時間受信強度が回復していないことを検出する
ステップと、一定時間受信強度が回復していないことを検出したときに、次の措置内容画
像データを読み出すステップと、読み出した措置内容画像データに基づく措置内容画像を
前記最初の措置内容画像に換えて画像投写部に表示させるステップと、を備えていること
を特徴とする請求項５に記載の受信強度投写方法。
【発明の詳細な説明】
【技術分野】
【０００１】
本発明は、画像投写装置、及び受信強度投写方法に関する。
【背景技術】
【０００２】
画像を再生する装置とプロジェクタの間の配線の必要がないという無線本来の利点から
、無線ＬＡＮ接続機能やアドホック接続機能を有するプロジェクタの普及が始まっている
。プロジェクタは、例えば、会議、学会、授業、プレゼンテーションなどで使用されるこ
とが多い。無線ＬＡＮ接続機能、又はアドホック接続機能を装備したプロジェクタを使用
する場合、動画像を無線で伝送している最中に無線の受信強度が低下したり、又は他の無
線ＬＡＮ装置との混信により動画像を安定して送受信するスループットが確保できなくな
ったりすることで、表示画像が不安定になる場合がある。
【０００３】
ところで、このような問題に関し、従来においては、下記の特許文献１に記載のものが
挙げられる。この技術は無線ＬＡＮの現在の通信状況、各機器の接続状況、使用状況など
を利用者へ表示するものである。
【０００４】
【特許文献１】特開２００４−３２０３９６号公報
【０００５】
しかしながら、上記した従来技術においては、現在の通信状況、各機器の接続状況、使
用状況などの表示はあるものの、それが画像自体の欠陥なのか、受信側の障害なのか、又
はネットワーク間での障害が原因であるのか判別することが不可能であった。又、受信強
度が低下しているという状況を判断できても実際に利用者がどのような行動（例えば、ど
の程度接近する必要があるのか）を取るべきか把握できず、結果として、無線ＬＡＮの接
続が切れてしまうという問題があった。
【発明の開示】
【発明が解決しようとする課題】
【０００６】
本発明は、このような問題に対処することを課題とするものである。すなわち、利用者
が表示画像の障害の原因を判断できるようにすること、利用者に対して、受信強度を回復
させるための措置内容を表示して、該措置行動を喚起することが本発明の目的である。
【課題を解決するための手段】
【０００７】
前記目的を達成するため、本発明に係る画像投写装置は、次の構成を少なくとも具備す
る。
【０００８】
本発明に係る画像投写装置は、画像投写部と、画像制御装置と有線、又は無線で接続さ
れ、画像制御装置から送信される画像信号を受信する画像信号受信部と、受信した画像信
号の受信強度を測定する受信強度測定部と、測定された受信強度データに基づいて受信強
度画像を生成する受信強度画像生成部と、画像投写部に対して前記受信強度画像の表示、
非表示を切替操作する切替操作部と、受信した画像信号が有線で送信されたものか無線に
よりされたものかを判定する画像信号判定部と、受信した画像信号が無線により受信され
たものであるときに、切替操作部の操作を有効にする制御を行う制御部と、を備えている
ことを特徴とする。
【０００９】
本発明に係る画像投写装置によると、無線により受信された画像信号に基づく画像投写
に障害が生じた場合、利用者の操作によって投写される受信強度画像が投写される。この
とき、投写された受信強度画像の受信強度表示が弱いものである場合、画像投写に障害の
原因が無線の電波状態が悪いからであると認識できる。又、投写された受信強度画像の受
信強度表示が強いものである場合、画像投写に障害の原因が受信側に問題があるから、又
は受信した画像信号に問題があるからと認識できる。さらに、受信強度画像が不要である
場合には、利用者の操作によって該受信強度画像を消すことができる。
【００１０】
ここでいう有線接続とは、複数の機器同士を、有線通信を利用して接続する有線ＬＡＮ
接続、又はケーブル等を用いて１対１の機器同士を通信可能に接続するものを含む。また
、無線接続とは、複数の機器同士が、アクセスポイント（ＡＰ）を介する無線通信を利用
して通信する無線ＬＡＮ接続（ＡＰ接続）、又は１対１の機器同士が直接的に通信するア
ドホック接続を含む。
【００１１】
また、本発明に係る画像投写装置は、受信強度が低下した際の措置内容画像データを記
憶する記憶部を有しており、前記制御部は、測定された受信強度があらかじめ設定した受
信強度以下であることを検出したときに、記憶部から措置内容画像データを読み出し、該
措置内容画像データに基づく措置内容画像を画像投写部に表示させる制御を行うものであ
ることを特徴とする。
【００１２】
本発明に係る画像投写装置によると、あらかじめ設定した受信強度以下であるとき、措
置内容画像を投写することで、利用者に対して、受信強度を回復させるための具体的措置
を示すことができる。
【００１３】
また、本発明に係る画像投写装置は、前記記憶部が複数種の措置内容画像データを有し
ており、措置内容表示制御部は、最初の措置内容画像を表示してから一定時間受信強度が
回復していないことを検出したときに、次の措置内容画像データを読み出し、該措置内容
画像データに基づく措置内容画像を前記最初の措置内容画像に換えて画像投写部に表示さ
せる制御を行うものであることを特徴とする。
【００１４】
本発明に係る画像投写装置によると、利用者に対して、受信強度を回復させるための具
体的措置をより確実に示すことができる。
【００１５】
本発明は、前記画像投写装置に適用される受信強度投写方法を包含する。すなわち、画
像制御装置から有線、無線で送信される画像信号を受信するステップと、受信した画像信
号の受信強度を測定するステップと、測定された受信強度データに基づいて受信強度画像
を生成するステップと、画像投写部に対して前記受信強度画像の表示、非表示を切替操作
するステップと、受信した画像信号が有線で送信されたものか無線によりされたものかを
判定するステップと、受信した画像信号が無線により受信されたものであるときに、切替
操作部の操作を有効にするステップと、を備えていることを特徴とする。
【００１６】
本発明に係る受信強度投写方法によると、無線による画像信号に基づく画像投写してい
るときに受信強度を投写する画像投写装置に適用することができる。
【００１７】
また、本発明に係る受信強度投写方法は、さらに、測定された受信強度があらかじめ設
定した受信強度以下であることを検出するステップと、受信強度以下であることを検出し
たときに措置内容画像データを読み出すステップと、読み出した措置内容画像データに基
づく措置内容画像を画像投写部に表示させるステップと、を備えていることを特徴とする
。
【００１８】
本発明に係る受信強度投写方法によると、受信強度低下時に該受信強度を回復させるた
めの措置内容画像を投写する画像投写装置に適用することができる。
【００１９】
また、本発明に係る受信強度投写方法は、さらに、最初の措置内容画像を表示してから
一定時間受信強度が回復していないことを検出するステップと、一定時間受信強度が回復
していないことを検出したときに、次の措置内容画像データを読み出すステップと、読み
出した措置内容画像データに基づく措置内容画像を前記最初の措置内容画像に換えて画像
投写部に表示させるステップと、を備えていることを特徴とする。
【００２０】
本発明に係る受信強度投写方法によると、受信強度低下時に該受信強度を回復させるた
めの措置内容画像を投写するとともに、異なる措置内容画像の投写に切替える画像投写装
置に適用することができる。
【発明を実施するための最良の形態】
【００２１】
以下、本発明の実施形態の例を図１〜図４に基づいて説明する。尚、本実施形態で例示
する画像投写装置はプロジェクタとして例示し、画像制御装置はパーソナルコンピュータ
(以下、パソコンという)として例示する
【００２２】
図１は、プロジェクタ１００の概略構成を示すブロック図である。本実施形態のプロジ
ェクタ１００は、無線ＬＡＮ、及び有線ＬＡＮの受信機能を具備し、該無線ＬＡＮ、及び
有線ＬＡＮを介してパソコンと通信可能に接続される。
【００２３】
プロジェクタ１００は、無線ＬＡＮ接続機能、及び有線ＬＡＮ機能を有するものであり
、制御部１０１、記憶部１０２、有線ＬＡＮ接続部１０３、画像信号受信部１０４、投写
画像処理部１０５、画像信号判定部１０６、受信強度測定部１０７、受信強度画像生成部
１０８、ＯＳＤ(On Screen Display)合成処理部１０９、タイマ１１０、切替操作部１１
１、画像投写部１１２、ＣＰＵ(図示せず)を備えている。
【００２４】
パソコン２００は、無線ＬＡＮ接続機能、及び有線ＬＡＮ機能を備えたものであり、有
線ＬＡＮと接続する接続部(図示せず)と、アンテナ２０２を介してプロジェクタ１００と
通信するためのアンテナ２０１を備えている。本実施形態のパソコン２００は、ノート型
のパソコンであり、受信強度が低下した際の措置(例えば、移動)を行いやすいようにして
いる。
【００２５】
制御部１０１は、ＣＰＵが実行する制御プログラムにより、プロジェクタ１００を動作
させる各種制御を行うものである。
【００２６】
記憶部１０２は、ＣＰＵが実行する各種プログラムや、各種アプリケーションプログラ
ム、及び措置内容画像データや受信強度画像データ、さらには、受信強度設定データや措
置内容切替条件データを含む各種データ等を記憶したＲＯＭ、各種情報及び演算結果等を
一時的に記憶するＲＡＭ等を備えており、制御部１０１の要求に基づいて各種プログラム
や各種データの出し入れが行われる。
【００２７】
有線ＬＡＮ接続部１０３は、有線ＬＡＮと接続するものであり、パソコン２００から送
信される画像信号を、制御部１０１の指示に基づいて、有線ＬＡＮ接続部２１０を介して
受信する。
【００２８】
画像信号受信部１０４は、制御部１０１の指示に基づいて、無線ＬＡＮ、及び有線ＬＡ
Ｎから送信された画像信号を受信し、受信した画像信号をＯＳＤ合成処理部１０９と画像
信号判定部１０６に送信するものである。また、画像信号受信部１０４は、アンテナ２０
２を有しており、パソコン２００に備えられたアンテナ２０１からの画像信号を、プロジ
ェクタ１００が備えているアンテナ２０２を介して受信する。
【００２９】
投写画像処理部１０５は、制御部１０１の指示に基づいて、ＯＳＤ合成処理部１０９か
らの画像信号、受信強度画像データ信号、措置内容画像データ信号、さらには、これらの
画像信号を合成した画像信号を受信するとともに、受信した画像信号、受信強度データ信
号、措置内容画像データ信号、合成した画像信号に基づく画像が表示される画像投写部１
１２を駆動、停止させる。
【００３０】
画像信号判定部１０６は、制御部１０１の指示に基づいて、受信した画像信号が有線Ｌ
ＡＮ接続部１０３から送信されたものであるか否かを判定するとともに、この判定結果を
制御部１０１に送信する。制御部１０１は、受信した判定結果が有線ＬＡＮ接続部１０３
から画像信号が送信されたものである場合に、切替操作部１１１の操作を有効にする制御
を行う。
【００３１】
受信強度測定部１０７は、制御部１０１の指示に基づいて、受信した画像信号の受信強
度を測定するとともに、この測定結果を制御部１０１に送信する。制御部１０１は、受信
した測定結果に基づいて、記憶部１０２から受信強度画像データを読み出し、受信強度画
像生成部１０８に対して、読み出した受信強度画像データを元に、測定結果に応じた受信
強度画像データ信号を生成させる制御を行う。この画像信号の受信強度を測定は、受信強
度の低下が一時的なものであることがあるため、所定回数測定し、連続して低下が認めら
れたときに受信強度が低下していると判断する制御を行う。
【００３２】
受信強度画像生成部１０８は、制御部１０１の指示に基づいて、受信強度の測定結果に
応じた受信強度画像データ信号を生成するとともに、生成した受信強度画像データ信号を
ＯＳＤ合成処理部１０９に送信する。
【００３３】
ＯＳＤ合成処理部１０９は、制御部１０１の指示に基づいて、画像信号受信部１０４、
受信強度画像生成部１０８、記憶部１０２からの、各信号を受信し、受信強度画像データ
信号に基づく投写画像、及び措置内容画像データ信号に基づく投写画像が、画像信号に基
づく投写画像に重畳するように合成するとともに、該合成画像信号を投写画像処理部１０
５に送信する。
【００３４】
タイマ１１０は、制御部１０１の指示に基づいて、受信強度が低下し、２種類の内の最
初に読み出される措置内容画像データに基づく措置内容画像が投写されると時間計測を開
始し、この計時信号を制御部１０１に送信する。また、時間計測から次の措置内容画像に
切替わる前に、受信強度が回復したときには、時間計測が停止されるとともに、リセット
される。
【００３５】
切替操作部１１１は、受信強度画像の投写、及び投写停止を切替える操作を行うもので
あり、この切替えの操作結果は、制御部１０１に送信され、該制御部１０１は、受信した
操作結果に応じて投写、及び投写停止を切替制御する。
【００３６】
画像投写部１１２は、受信した画像信号、及び緊急案内画像信号に基づく画像が表示さ
れる光変調素子(例えば、液晶パネル)としての画像生成部(図示せず)、画像生成部に表示
された画像に対して光を照射するランプ駆動部(図示せず)、ランプ駆動部から照射される
光によって画像生成部に表示された画像を投写する画像投写光学系を備えている。
【００３７】
図２（ａ）、（ｂ）は、投写される措置内容画像の一例を示している。措置内容画像デ
ータは、画像信号の受信強度が、あらかじめ設定した受信強度以下になったときに、受信
強度を回復させるための措置内容が記述されている。そして、制御部１０１の制御により
あらかじめ設定された受信強度以下になったとき、記憶部１０２から読み出され、措置内
容画像データ信号がＯＳＤ合成処理部１０９に送信される。この措置内容画像データ信号
は、投写画像処理部１０５を介して措置内容画像データ信号に基づく措置内容が画像とし
て投写される。本実施形態では、異なる措置内容が記述された２種類の措置内容画像デー
タが記憶されており、あらかじめ設定された受信強度、及び一定時間の経過に応じて順に
読み出され、画像信号に基づく投写画像上に重なった状態で措置内容が画像として投写さ
れる。また、投写される措置内容画像を、画像信号に基づく投写画像が透過する画像とし
て重ね合わせて投写するようにしてもよい。
【００３８】
尚、措置内容は、例示したものに限らず、利用者に対して受信強度を回復させる措置を
行わせることを喚起できるものであればよい。例えば、文字によるメッセージに注意を喚
起し易い色を付加したり、一定時間の経過に応じて色が変わるようにしたりしてもよい。
【００３９】
図３は、投写される受信強度画像の一例を示している。受信強度画像データは、生成さ
れる受信強度画像データ信号の元になる基礎画像が記述されている。この基礎画像は、制
御部１０１の制御により、画像信号に基づく投写画像上に重なった状態で、測定される受
信強度に応じて着色等を付加した受信強度画像として投写される。この、着色等の付加は
、受信強度に応じてリアルタイムで着色の位置が変更され、利用者は、投写されたこの着
色の変更によって受信強度を認識することができる。また、投写される受信強度画像を、
画像信号に基づく投写画像が透過する画像として重ね合わせて投写するようにしてもよい
。
【００４０】
尚、受信強度画像の形態は、例示したものに限らず、利用者が受信強度を認識し易いも
のであればよい。
【００４１】
受信強度設定データは、措置内容画像が投写される受信強度を設定したデータであり、
受信強度がこの設定した受信強度以下になったときに措置内容画像が投写される。措置内
容切替条件データは、最初の措置内容画像が投写されてから次の措置内容画像が投写され
るまでの時間を設定したデータであり、この時間が計測されたときに措置内容画像が切替
わる。
【００４２】
本実施形態のプロジェクタ１００によると、無線により受信された画像信号に基づく画
像投写に障害が生じた場合に、利用者の操作によって投写する受信強度画像の受信強度表
示により、画像投写に障害の原因を判断することができる。また、あらかじめ設定した受
信強度以下であるときに、自動的に投写される措置内容画像で、利用者に対して受信強度
を回復させるための具体的措置を確実に示すことができる。
【００４３】
図４は、本実施形態のプロジェクタ１００が、受信強度画像を投写する方法、及び措置
内容画像を投写する方法、並びに措置内容画像を切替える方法を含むプログラムのフロー
チャートである。このプログラムは、プロジェクタ１００を起動する(パソコン２００か
らの画像信号を受信する操作)ことにより起動するプログラムである(ステップＳ１)。
【００４４】
パソコン２００からの画像信号を受信すると、受信した画像信号をＯＳＤ合成処理部１
０９に送信する(ステップＳ２)。
【００４５】
また、受信した画像信号が有線ＬＡＮ接続部１０３から送信されたものであるか否かを
判定し(ステップＳ３)、該画像信号が有線ＬＡＮ接続部１０３から送信されたものでない
とき、切替操作部１１１の操作を有効にする(ステップＳ４)。
【００４６】
また、測定した受信強度が設定された所定の受信強度以下であり(ステップＳ５)、切替
操作部１１１に対して受信強度画像を投写する操作をしたとき(ステップＳ６)、受信強度
画像データが読み出され(ステップＳ７)、該受信強度画像データを受信強度画像生成部１
０８に送信する(ステップＳ８)。受信強度画像データを受信した受信強度画像生成部１０
８は、受信強度の測定結果に応じた受信強度画像データ信号を生成し（ステップＳ９）、
生成した受信強度画像データ信号をＯＳＤ合成処理部１０９に送信する(ステップＳ１０)
。このとき、切替操作部１１１の操作を行わなければ、受信強度画像データが読み出され
ず、受信強度画像の投写は行われない(ステップＳ１１)。
【００４７】
また、測定した受信強度が設定された所定の受信強度以下であるとき（ステップＳ１２
）、措置内容画像データが読み出され(ステップＳ１３)、読み出された措置内容画像デー
タ信号をＯＳＤ合成処理部１０９に送信する(ステップＳ１４)。
【００４８】
ＯＳＤ合成処理部１０９は、受信した画像信号、受信強度信号、措置内容画像データ信
号の各信号を合成し(ステップＳ１５)、この合成画像信号を投写画像処理部１０５に送信
する(ステップＳ１６)。
【００４９】
措置内容画像を含む合成画像の投写が開始されると同時に、時間計測が開始され(ステ
ップＳ１７)、受信強度が回復せずに計測時間が一定時間を経過すると(ステップＳ１８)
、次の措置内容画像データを読み出し（ステップＳ１９）、読み出した措置内容画像デー
タ信号をＯＳＤ合成処理部１０９に送信する(ステップＳ２０)。このとき、最初に投写さ
れていた措置内容画像データが記憶部１１２に格納され、該措置内容画像データに基づく
画像内容画像の投写が停止される(ステップＳ２１)。一定時間内に受信強度が回復したと
きには、タイマ１１０がリセットされるとともに、受信強度画像データ、及び措置内容画
像データが記憶部１１２に格納され、該受信強度画像データ、及び措置内容画像データに
基づく受信強度画像、及び措置内容画像の投写が停止される(ステップＳ２２)。
【００５０】
本発明の受信強度投写方法によると、受信強度画像を投写する制御、及び措置内容画像
を投写する制御、並びに措置内容画像を切替える制御を実行することができる。
【００５１】
以上、本発明の実施形態の例を図面に基づいて説明したが、本発明は図示例や上述した
各例に限定されるものではなく、特許請求範囲に記載された技術的思想の範疇において、
種々の変更が可能である。
【図面の簡単な説明】
【００５２】
【図１】無線ＬＡＮ機能を具備するプロジェクタの概略構成を示すブロック図。
【図２】（ａ）、（ｂ）は、投写される措置内容画像の一例を示す。
【図３】投写される受信強度画像の一例を示す。
【図４】画像投写装置が実行するプログラムのフローチャート。
【符号の説明】
【００５３】
１００：プロジェクタ(画像投写装置)  ２００：パソコン(画像制御装置)
１０１：制御部  １０２：記憶部  １０３：有線ＬＡＮ接続部
１０４：画像信号受信部  １０６：画像信号判定部  １０７：受信強度測定部
１０８：受信強度画像生成部  １１０：タイマ  １１１：切替操作部
１１２：画像投写部
【図１】
2010122262.tif 000003
【図２】
2010122262.tif 000004
【図３】
2010122262.tif 000005
【図４】
2010122262.tif 000006